【手続補正書】
【提出日】平成24年1月13日(2012.1.13)
【手続補正１】
【補正対象書類名】特許請求の範囲
【補正対象項目名】全文
【補正方法】変更
【補正の内容】
【特許請求の範囲】
【請求項１】
無線周波数識別タグ上のデータを管理するためのデータ管理システムであって、
データを保存することのできる無線周波数識別タグ（８０２）と、
無線周波数識別タグ上に保存されているプログラムコード（８０４）と、
無線周波数信号における無線周波数識別タグ(８０２)からデータ（８０６）およびプログラムコード（８０４）を受信することができ、かつ、プログラムコードを実行してデータを読み取ることができるリーダデータ処理システム（８００）と、
を含むデータ管理システム。
【請求項２】
プログラムコード（８０４）が、無線周波数識別タグ（８０２）上に非機能的形態で保存されており、かつ、リーダデータ処理システム（８００）が、プログラムコードを機能的形態（８１６）に変換し、機能的形態（８１６）のプログラムコードを実行することによりプログラムコード（８０４）を実行する請求項１に記載のデータ管理システム。
【請求項３】
リーダデータ処理システム（８００）が、無線周波数識別タグ（８０２）内にデータに対する修正を保存する請求項１に記載のデータ管理システム。
【請求項４】
データ（８０６）が、航空機部品についてのデータを含む請求項１に記載のデータ管理システム。
【請求項５】
航空機部品についてのデータ（８０６）が、航空機部品に対する整備履歴の少なくとも一部を含む請求項４に記載のデータ管理システム。
【請求項６】
非機能的形態のプログラムコード（８０４）が、暗号化された命令と圧縮された命令とのうちの一方を含む請求項２に記載のデータ管理システム。
【請求項７】
断続的接続センサ上のデータを管理するためのコンピュータに実装された方法であって、
データ処理システム（８００、５０６）において断続的接続センサからデータ（８０６）およびデータ管理命令（８０４）を受信し、
データ管理命令（８０４）を機能的な形態（８１６）に変換してプログラムコードを形成し、
プログラムコードを実行してデータを読み取ることを含むコンピュータに実装された方法。
【手続補正２】
【補正対象書類名】明細書
【補正対象項目名】００９７
【補正方法】変更
【補正の内容】
【００９７】
また、例えば、メモリスポットチップやコンタクトメモリボタンに限定されないがこれらのような他の種類の断続的接続センサを用いることもできる。メモリスポットチップは、ヒューレットパッカード社から入手可能である。コンタクトメモリボタンは、コアレッセントテクノロジー社から入手可能である。別の例として、種々の実施形態は、有料道路用に用いられるような中継器を用いてもよい。さらに、種々の有利な実施形態は、その他の有利な実施形態と比較して異なる利点を提供するかもしれない。選択された一または複数の実施形態は、実施形態の原理、実際の適用をもっともよく説明するため、かつ、考慮された特定の使用に適したものとしてさまざまな変更を有するさまざまな実施形態に対する開示を当該技術分野における通常の技術を有する他者が理解できるようにするために選ばれ、説明されている
また、本発明は以下に記載する態様を含む。
（態様１）
無線周波数識別タグ上のデータを管理するためのデータ管理システムであって、
データを保存することのできる無線周波数識別タグ（８０２）と、
無線周波数識別タグ上に保存されているプログラムコード（８０４）と、
無線周波数信号における無線周波数識別タグ(８０２)からデータ（８０６）およびプログラムコード（８０４）を受信することができ、かつ、プログラムコードを実行してデータを読み取ることができるリーダデータ処理システム（８００）と、
を含むデータ管理システム。
（態様２）
プログラムコード（８０４）が、無線周波数識別タグ（８０２）上に非機能的形態で保存されており、かつ、リーダデータ処理システム（８００）が、プログラムコードを機能的形態（８１６）に変換し、機能的形態（８１６）のプログラムコードを実行することによりプログラムコード（８０４）を実行する態様１に記載のデータ管理システム。
（態様３）
リーダデータ処理システム（８００）が、無線周波数識別タグ（８０２）内にデータに対する修正を保存する態様１に記載のデータ管理システム。
（態様４）
リーダデータ処理システム（８００）が、無線周波数識別タグ（８０２）に対する修正を有するデータを保存することにより、無線周波数識別タグ（８０２）内にデータに対する修正を保存する態様３に記載のデータ管理システム。
（態様５）
リーダデータ処理システム（８００）が、修正を有する無線周波数識別タグ内に保存されているデータを修正することにより、無線周波数識別タグ（８０２）内にデータに対する修正を保存する態様３に記載のデータ管理システム。
（態様６）
データ（８０６）が、航空機部品についてのデータを含む態様１に記載のデータ管理システム。
（態様７）
航空機部品についてのデータ（８０６）が、航空機部品に対する整備履歴の少なくとも一部を含む態様６に記載のデータ管理システム。
（態様８）
非機能的形態のプログラムコード（８０４）が、暗号化された命令と圧縮された命令とのうちの一方を含む態様２に記載のデータ管理システム。
（態様９）
筐体と、
筐体内に位置するアンテナ（６０２）と、
筐体内に位置し、かつ、データ（８０６）およびデータ管理命令（８０４）を保存するメモリ（６０８）であって、データ管理命令が、データ処理システム上で実行されてデータを読み取ることができるメモリと、
筐体内に位置し、信号の検出に応答してアンテナ（６０２）にデータ管理命令（８０４）を含む応答信号（８１４）を発信させることができる論理制御回路（６０６）と、
を含む装置。
（態様１０）
論理制御回路（６０６）により生じた応答信号（８１４）を受信することができ、かつ、応答信号におけるデータ管理命令（８０４）を実行してデータを読み取ることができるリーダデータ処理システム（８００）をさらに含む態様９に記載の装置。
（態様１１）
応答信号（８１４）が、データ（８０６）をも含む態様１０に記載の装置。
（態様１２）
データ管理命令（８０４）が、非機能的な形態であり、かつ、リーダデータ処理システム（８００）が、データ管理命令（８０４）をプログラムコードとして機能的な形態（８１６）に変換し、プログラムコードを実行してデータ管理命令を実行する態様１０に記載の装置。
（態様１３）
リーダデータ処理システム（８００）が、論理制御回路（６０６）により送信された第２信号におけるデータ（８０６）を受信する態様１０に記載の装置。
（態様１４）
断続的接続センサ上のデータを管理するためのコンピュータに実装された方法であって、
データ処理システム（８００、５０６）において断続的接続センサからデータ（８０６）およびデータ管理命令（８０４）を受信し、
データを読み取るためにデータ処理システム上のデータ管理命令を実行することを含むコンピュータに実装された方法。
（態様１５）
実行する工程が、
データ管理命令（８０４）を機能的な形態（８１６）に変換してプログラムコードを形成し、
プログラムコードを実行してデータを読み取ることを含む態様１４に記載のコンピュータに実装された方法。
（態様１６）
データ管理命令（８０４）が、圧縮形態と暗号化形態とのうちの一方のプログラムコードである態様１５に記載のコンピュータに実装された方法。
（態様１７）
受信する工程が、
データ処理システム（８００、５０６）において断続的接続センサからデータ（８０６）およびデータ管理命令（８０４）を受信して受信画像を形成し、
受信画像に対してエラー確認を行うことを含む態様１４に記載のコンピュータに実装された方法。
（態様１８）
断続的接続センサから受信したデータ（８０６）に対する修正を生成し、
断続的接続センサにデータに対する修正をセーブすることをさらに含む態様１４に記載のコンピュータに実装された方法。
（態様１９）
機能的な形態（８１６）が、コンピュータプログラム、方法およびアプレットのうちの１つから選択される形態のプログラムコードである態様１５に記載のコンピュータに実装された方法。
（態様２０）
断続的接続センサが、無線周波数識別タグ（８０２）である態様１４に記載のコンピュータに実装された方法。